(57)【要約】【課題】転写位置で発生する振動を感光体ベルトを通じて感光体ベルトの駆動モータや現像位置へ伝えない画像転写装置及び画像形成装置を提供すること。【解決手段】画像転写装置において、転写ローラ１１を駆動するモータ１５からの動力を、回転させる向きはどちらであっても転写ローラ１１側に伝えるが、転写ローラ１１側からの動力はどちらの方向であってもモータ１５には伝えない伝導装置１１０を介して転写ローラ１１に伝達する。【選択図】図２
2008015127.tif 000002
【特許請求の範囲】
【請求項１】
トナー像が形成され、第１の駆動装置で所定周速度をなすよう駆動されるベルト状像担持体と、このベルト状像担持体に押圧状態及び離間状態に位置変更可能に配置され、
第２の駆動装置で前記ベルト状像担持体の周速度より遅い周速度で駆動される転写用紙搬送体と、
を備え、前記ベルト状像担持体と前記転写用紙搬送体と間で転写用紙を搬送して、前記転写用紙にトナー像を転写して転写用紙に画像を形成する画像転写装置であって、
前記第２の駆動装置は、前記転写用紙搬送体に、前記第２の駆動手段からの動力は回転させる向きはどちらであっても前記転写搬送体側に伝えるが、転写搬送体側からの動力はどちらの方向の動力であっても第２の駆動手段側には伝えない伝導装置を介して接続され、
前記転写搬送体が前記ベルト状像担持体から離間した状態において前記転写搬送体は前記感光体ベルトの搬送速度より遅い周速度で駆動され、
前記ベルト状像担持体に対して前記転写搬送体が押圧された状態において前記ベルト状像担持体と転写搬送体の間の摩擦力により転写搬送体を感光体ベルトの搬送速度と同じ速度で回転させるようにしたことを特徴とする画像転写装置。
【請求項２】
前記ベルト状像担持体を駆動する第１の駆動手段は、ベルト状像担持体の現像位置より下流側、かつ、前記転写用紙搬送体の配置位置より上流側に配置されていることを特徴とする請求項１記載の画像転写装置。
【請求項３】
前記ベルト状像担持体の表面を清浄化する像担持体クリーニング手段を前記転写用紙搬送体の配置位置転写位置より下流側、かつ、前記ベルト状像担持体の現像位置より上流側に備えたことを特徴とする請求項１又は２記載の画像転写装置。
【請求項４】
前記転写搬送体の表面を清浄化する転写搬送体クリーニング装置を備え、該転写搬送体クリーニング装置には、回収したトナーを転写クリーニング装置の外部に排出する回収ローラを備え、
前記第２の駆動手段は、前記転写搬送体と、トナー回収ローラとを駆動するものであり、
前記伝導装置を前記第２の駆動手段からトナー回収ローラへの駆動伝達経路を除く伝達経路に設置したことを特徴とする請求項１乃至３のいずれか記載の画像転写装置。
【請求項５】
前記転写搬送体の表面を清浄化する転写搬送体クリーニング装置を備え、該転写搬送体クリーニング装置には、転写搬送体の表面を清浄するクリーニングローラと、回収したトナーを転写クリーニング装置の外部に排出する回収ローラとを備え、
前記第２の駆動手段は、前記転写搬送体と、前記クリーニングローラと、トナー回収ローラとを駆動し、
前記伝導装置を前記第２の駆動手段から前記クリーニングローラ及びトナー回収ローラへの駆動伝達経路を除く伝達経路に設置したことを特徴とする請求項１乃至３のいずれか記載の画像転写装置。
【請求項６】
前記像担持体クリーニング装置には、回収されたトナーを、像担持体クリーニング装置外に回収するトナー回収ローラを備え、
前記第２の駆動手段は、前記転写搬送体と、前記トナー回収ローラとを駆動し、
前記伝導装置を第２の駆動手段から前記トナー回収ローラへの駆動伝達経路を除く経路に設置したことを特徴とする請求項３乃至５のいずれか記載の画像転写装置。
【請求項７】
前記像担持体クリーニング装置には、ベルト状像担持体表面を清浄化する像担持体クリーニングローラと、回収されたトナーを像担持体クリーニング装置外に回収するトナー回収ローラとを備え、
前記第２の駆動手段は、前記転写搬送体と、前記像担持体クリーニングローラと、前記トナー回収ローラとを駆動し、
前記伝導装置を第２の駆動手段から前記像担持体クリーニングローラ及び前記トナー回収ローラへの駆動伝達経路を除く経路に設置したことを特徴とする請求項３乃至５のいずれか記載の画像転写装置。
【請求項８】
前記第２駆動手段により駆動される転写クリーニング手段により回収されたトナーを転写クリーニング装置外へと回収するトナー回収ローラとのジョイントにワンウェイクラッチを用いたことを特徴とする請求項４乃至７のいずれか記載の画像転写装置。
【請求項９】
前記第２の駆動手段と、前記トナー回収ローラとはワンウェイクラッチを介して接合されていることを特徴とする請求項６乃至８のいずれか記載の画像転写装置。
【請求項１０】
前記転写搬送体が転写ローラであることを特徴とする請求項１乃至９のいずれか記載の画像転写装置。
【請求項１１】
前記転写搬送体が転写ベルトであることを特徴とする請求項１乃至９のいずれか記載の画像転写装置。
【請求項１２】
前記ベルト状像担持体が感光体ベルトであることを特徴とする請求項１乃至１１のいずれか記載の画像転写装置。
【請求項１３】
前記伝動装置が転写ローラと同軸上に配置されていることを特徴とする請求項１０記載の画像転写装置。
【請求項１４】
前記伝動装置が転写ベルトの駆動ローラと同軸上に配置されていることを特徴とする請求項１１記載の画像転写装置。
【請求項１５】
転写ベルトを駆動する転写ベルト駆動ローラが前記ベルト状像担持体に押圧されていることを特徴とする請求項１４記載の画像転写装置。
【請求項１６】
請求項１乃至１５のいずれか記載の画像転写装置を備えたことを特徴とする画像形成装置。
【請求項１７】
電子写真複写機であることを特徴とする請求項１６記載の画像形成装置。
【請求項１８】
ファクシミリ装置であることを特徴とする１６記載の画像形成装置。
【請求項１９】
レーザビームプリンタであることを特徴とする請求項１６記載の画像形成装置。
【発明の詳細な説明】
【技術分野】
【０００１】
本発明は、画像転写装置及び電子写真複写機、レーザプリンタ、ファクシミリ装置などの画像形成装置に係り、特にトナー像が形成され、第１の駆動装置で所定周速度をなすよう駆動されるベルト状像担持体と、第２の駆動装置で駆動される転写用紙搬送体とを備えベルト状像担持体と前記転写用紙搬送体と間で転写用紙を搬送して、前記転写用紙にトナー像を転写して転写用紙に画像を形成する画像転写装置及び画像形成装置に関する。
【背景技術】
【０００２】
電子写真方式を利用した複写機、ファクシミリ装置、プリンタ等の画像形成装置では、帯電器で一様に帯電した像担持体の表面にレーザ光を照射して静電潜像を形成し、この潜像を現像器で現像してトナー像として顕像化する。そして、このトナー像を紙やプラスチックフィルムシート等の印刷媒体以下、「記録用紙」というに直接又は間接的に転写して印刷画像を出力する。
【０００３】
このような画像形成装置では、転写体として感光体ベルトを使用し、この感光体ベルトに形成されたトナー像を転写するために、感光体ベルトに対向する転写搬送体である転写ローラが設けられている。この転写ローラは転写のときにだけ感光体ベルトに押圧され、それ以外のときには転写ベルトから離れているように構成される。従って、転写ローラが感光体ベルトに対して押圧されるときに感光体ベルトが衝撃を受け、画像の不良を生じる場合がある。また、印刷用紙が転写部に搬入されたり搬出されたりしたときにも振動が発生し、画像の不良が生じることがある。このような不具合を解消するため、以下の提案がなされている。
【０００４】
特許文献１には、中間転写ベルトは第１速度で回動され、中間転写ベルト上の多色トナー像を記録紙へ２次転写するため、２次転写ロールは２次転写時にだけ中間転写ベルトに押圧され、２次転写ロールは歯車装置を含む駆動手段により第１速度よりも大きい周速度で回転され、トルクリミッタは中間転写ベルトに押圧されているときの２次転写ロールの駆動トルクを、中間転写ベルトから離間しているときの２次転写ロールの負荷トルクに制限するものが記載されている。
【０００５】
特許文献２には、トナー像が一次転写された中間転写ベルト上のトナー像を転写材に２次転写するために、前記中間転写ベルトに当接して回転可能な２次転写外ローラを有し、前記２次転写外ローラは、トルクリミッタを介して駆動されるものが記載されている
【０００６】
特許文献３には、中間転写体と、この中間転写体に対して接近離間自在とされて転写時に中間転写体に圧接する用紙転写ローラとを備え、これらの中間転写体と用紙転写ローラとの間に転写材を通過させて中間転写体のトナー像を転写材に転写させる電子写真装置において、前記用紙転写ローラにワンウェイクラッチを設け、用紙転写ローラが中間転写体より離間している際にはワンウェイクラッチを介して用紙転写ローラを中間転写体の周速より低速で回転させ、用紙転写ローラが中間転写体に圧接されている際には中間転写体により用紙転写ローラを中間転写体と同じ速度で回転させる構成とした電子写真装置が記載されている。
【０００７】
特許文献４には、ワンウェイクラッチを用い、感光体上のトナー像を中間転写体上に一次転写しているとき、その中間転写体を感光体から受ける駆動力で駆動し、トナー像の一次転写終了後、転写ローラが中間転写体に当接した後は、中間転写体を感光体を介することなく駆動モータによって駆動するものが記載されている。
【０００８】
【特許文献１】特開平１１５２７５７号公報
【特許文献２】特開２００５１０６９１８号公報
【特許文献３】特許第３０２５０７０号公報
【特許文献４】特開２０００−２０６７６０号公報
【発明の開示】
【発明が解決しようとする課題】
【０００９】
ところで、近年消費者ニーズの向上により、より高画質である画像形成装置が求められている。特に画像転写装置では紙の搬送によって発生する振動が感光体ベルトを通じて現像位置に伝わることにより、その振動が発生した瞬間に感光体上に描かれた箇所に縞状の異常画像が発生する。また、近年画像形成装置の高速化が図られており、高速化に伴い印刷用紙の搬送速度が上がれば、振動も大きくなり、画像の劣化が発生しやすくなる。
【００１０】
しかしながら上述した核技術においては、ワンウェイクラッチや、トルクリミッタを使用して転写ローラと駆動装置とを接続して不必要なトルクを伝えないようにしているが、まだその効果が十分ではないという問題がある。
【００１１】
そこで、本発明は画像転写装置において、転写位置への印刷用紙の突入及び紙の抜けによる振動や、転写位置前後に位置する定着手段やレジストあわせ手段との転写位置での搬送速度との速度差から生じる振動を、感光体ベルトを通じて感光体ベルトの駆動モータや現像位置へ伝えない画像転写装置及び画像形成装置を提供することを目的とする。
【課題を解決するための手段】
【００１２】
請求項１の発明は、トナー像が形成され、第１の駆動装置で所定周速度をなすよう駆動されるベルト状像担持体と、このベルト状像担持体に押圧状態及び離間状態に位置変更可能に配置され、第２の駆動装置で前記ベルト状像担持体の周速度より遅い周速度で駆動される転写用紙搬送体と、を備え、前記ベルト状像担持体と前記転写用紙搬送体と間で転写用紙を搬送して、前記転写用紙にトナー像を転写して転写用紙に画像を形成する画像転写装置であって、前記第２の駆動装置は、前記転写用紙搬送体に、前記第２の駆動手段からの動力は回転させる向きはどちらであっても前記転写搬送体側に伝えるが、転写搬送体側からの動力はどちらの方向の動力であっても第２の駆動手段側には伝えない伝導装置を介して接続され、前記転写搬送体が前記ベルト状像担持体から離間した状態において前記転写搬送体は前記感光体ベルトの搬送速度より遅い周速度で駆動され、前記ベルト状像担持体に対して前記転写搬送体が押圧された状態において前記ベルト状像担持体と転写搬送体の間の摩擦力により転写搬送体を感光体ベルトの搬送速度と同じ速度で回転させるようにしたことを特徴とする画像転写装置である。
【００１３】
請求項２の発明は、請求項１記載の画像転写装置において、前記ベルト状像担持体を駆動する第１の駆動手段は、ベルト状像担持体の現像位置より下流側、かつ、前記転写用紙搬送体の配置位置より上流側に配置されていることを特徴とする。
【００１４】
請求項３の発明は、請求項１又は２記載の画像転写装置において、前記ベルト状像担持体の表面を清浄化する像担持体クリーニング手段を前記転写用紙搬送体の配置位置転写位置より下流側、かつ、前記ベルト状像担持体の現像位置より上流側に備えたことを特徴とする。
【００１５】
請求項４の発明は、請求項１乃至３のいずれか記載の画像転写装置において、前記転写搬送体の表面を清浄化する転写搬送体クリーニング装置を備え、該転写搬送体クリーニング装置には、回収したトナーを転写クリーニング装置の外部に排出する回収ローラを備え、前記第２の駆動手段は、前記転写搬送体と、トナー回収ローラとを駆動するものであり、前記伝導装置を前記第２の駆動手段からトナー回収ローラへの駆動伝達経路を除く伝達経路に設置したことを特徴とする。
【００１６】
請求項５の発明は、請求項１乃至３のいずれか記載の画像転写装置において、前記転写搬送体の表面を清浄化する転写搬送体クリーニング装置を備え、該転写搬送体クリーニング装置には、転写搬送体の表面を清浄するクリーニングローラと、回収したトナーを転写クリーニング装置の外部に排出する回収ローラとを備え、前記第２の駆動手段は、前記転写搬送体と、前記クリーニングローラと、トナー回収ローラとを駆動し、前記伝導装置を前記第２の駆動手段から前記クリーニングローラ及びトナー回収ローラへの駆動伝達経路を除く伝達経路に設置したことを特徴とする。
【００１７】
請求項６の発明は、請求項３乃至５のいずれか記載の画像転写装置において、前記像担持体クリーニング装置には、回収されたトナーを、像担持体クリーニング装置外に回収するトナー回収ローラを備え、前記第２の駆動手段は、前記転写搬送体と、前記トナー回収ローラとを駆動し、前記伝導装置を第２の駆動手段から前記トナー回収ローラへの駆動伝達経路を除く経路に設置したことを特徴とする。
【００１８】
請求項７の発明は、請求項３乃至５のいずれか記載の画像転写装置において、前記像担持体クリーニング装置には、ベルト状像担持体表面を清浄化する像担持体クリーニングローラと、回収されたトナーを像担持体クリーニング装置外に回収するトナー回収ローラとを備え、前記第２の駆動手段は、前記転写搬送体と、前記像担持体クリーニングローラと、前記トナー回収ローラとを駆動し、前記伝導装置を第２の駆動手段から前記像担持体クリーニングローラ及び前記トナー回収ローラへの駆動伝達経路を除く経路に設置したことを特徴とする。
【００１９】
請求項８の発明は、請求項４乃至７のいずれか記載の画像転写装置において、前記第２駆動手段により駆動される転写クリーニング手段により回収されたトナーを転写クリーニング装置外へと回収するトナー回収ローラとのジョイントにワンウェイクラッチを用いたことを特徴とする。
【００２０】
請求項９の発明は、請求項６乃至８のいずれか記載の画像転写装置において、前記第２の駆動手段と、前記トナー回収ローラとはワンウェイクラッチを介して接合されていることを特徴とする。
【００２１】
請求項１０の発明は、請求項１乃至９のいずれか記載の画像転写装置において、前記転写搬送体が転写ローラであることを特徴とする。
【００２２】
請求項１１の発明は、請求項１乃至９のいずれか記載の画像転写装置において、前記転写搬送体が転写ベルトであることを特徴とする。
【００２３】
請求項１２の発明は、請求項１乃至１１のいずれか記載の画像転写装置において、前記ベルト状像担持体が感光体ベルトであることを特徴とする。
【００２４】
請求項１３の発明は、請求項１０記載の画像転写装置において、前記伝動装置が転写ローラと同軸上に配置されていることを特徴とする。
【００２５】
請求項１４の発明は、請求項１１記載の画像転写装置において、前記伝動装置が転写ベルトの駆動ローラと同軸上に配置されていることを特徴とする。
【００２６】
請求項１５の発明は、請求項１４記載の画像転写装置において、転写ベルトを駆動する転写ベルト駆動ローラが前記ベルト状像担持体に押圧されていることを特徴とする。
【００２７】
請求項１６の発明は、請求項１乃至１５のいずれか記載の画像転写装置を備えたことを特徴とする画像形成装置である。
【００２８】
請求項１７の発明は、請求項１６記載の画像形成装置において、電子写真複写機であることを特徴とする。
【００２９】
請求項１８の発明は、請求項１６記載の画像形成装置において、ファクシミリ装置であることを特徴とする。
【００３０】
請求項１９の発明は、請求項１６の画像形成装置において、レーザビームプリンタであることを特徴とする。
【発明の効果】
【００３１】
本発明に係る画像転写装置によれば、第２の駆動装置は、前記転写用紙搬送体に、前記第２の駆動手段からの動力は回転させる向きはどちらであっても前記転写搬送体側に伝えるが、転写搬送体側からの動力はどちらの方向の動力であっても第２の駆動手段側には伝えない伝導装置を介して接続されるから、転写搬送体の速度変動が第２の駆動手段に伝えられなくなり、形成される画像を高品質にできるという効果を奏する。
【発明を実施するための最良の形態】
【００３２】
以下本発明を実施するための最良の形態としての実施例を図面に基づいて説明する。
【実施例１】
【００３３】
以下本発明の実施例に係る画像形成装置を図面に基づいて説明する。図１乃至図１５は本発明に係る画像形成装置の実施例を示すものである。
【００３４】
図１乃至図６は本発明の第１の実施例に係る画像形成装置を示すものである。本例に係る画像形成装置は、レーザプリンタである。まず本例に係る画像形成装置の全体構成を説明する。図１は第１の実施例に係る画像形成装置の概略構造を示す断面図である。本例において、画像形成装置は、感光体ユニット５と、書込装置１７と、現像装置１０と、帯電器８と、定着装置１３と、を備える。
【００３５】
感光体ユニット５は、駆動ローラ５２に掛け渡されたベルト状像担持体である感光体ベルト５１を備え、この感光体ベルト５１は第１の駆動装置である駆動ローラ５２で図中矢印方向に回転駆動される。
【００３６】
感光体ベルト５１の下方には、転写搬送体である転写ローラ１１が配置され、この転写ローラ１１は、感光体ベルト５１と離間した状態（図３参照）と、感光体ベルト５１に接触した状態（図４参照）に位置変更可能に配置される。この転写ローラ１１は第２の駆動装置により、第２の駆動装置で前記感光体ベルト５１の周速度より遅い周速度で駆動される。
【００３７】
本例では、前記感光体ベルト５１を駆動する駆動ローラ５２は、現像装置１０より下流側で、かつ、前記転写ローラ１１の配置位置より上流側に配置されている。
【００３８】
また、感光体ユニット５には感光体ベルト５１を清浄化する感光体ベルトクリーニング装置４が配置されている。本例では感光体ベルトクリーニング装置４にはトナー回収ローラ４１と、クリーニングブレード４２とが内蔵されている。このトナー回収ローラ４１は回転駆動され回収したトナーを感光体ベルトクリーニング装置４の外部に排出する。
【００３９】
また、転写ローラ１１には、転写ローラ１１を清浄化する転写クリーニング装置７が配置されている。本例では、転写クリーニング装置７にはトナー回収ローラ７１と、クリーニングブレード７２とが内蔵されている。このトナー回収ローラ７１は回転駆動され回収したトナーを転写クリーニング装置の外部に排出する。
【００４０】
そして、本例において、印刷用紙９に画像を形成するには、帯電器８で帯電された感光体ベルト５１に書込装置１７でレーザ光により潜像が形成され、この潜像が現像装置１０において現像されてトナー像が形成される。印刷用紙９は、紙搬送部１４からレジストローラ１２に案内され、感光体ベルト５１と転写ローラ１１の間を搬送され、感光体ベルト５１に形成されたトナー像が転写される。そして、トナー像が形成された一方印刷用紙９は、定着装置１３に搬送され定着される。
【００４１】
次に本例に係る画像形成装置の画像転写装置について説明する。図２は第１の実施例に係る画像形成装置の画像転写装置の構成を示す平面図である。本例では、転写ローラ１１は、第２の駆動装置であるモータ１５により回転駆動される。
【００４２】
本例では、モータ１５はブラケット１５１に配置された減速装置を介して転写ローラ１１に接続されている。本例では、モータ１５の出力軸に配置されたピニオンギヤ１１１はギヤ１１２と噛合して回転軸１１３を回転駆動する。そしてこの回転軸１１３には、伝導装置１１０を介して出力軸１１４が接続されており、この出力軸１１４は等速ジョイント１３１、２つのギヤ１２１、１２２を介して転写ローラ１１を駆動する。なお符号１１５は転写ローラ１１を支持する側板、１１６は画像形成装置本体外の側板を示している。
【００４３】
この伝導装置１１０は、入力軸の回転力は出力軸に伝達するが出力軸からの回転力（逆入力）は入力軸へは伝達しないという特性を備える伝導装置である。即ち、この伝導装置は、入力軸から出力軸へは正・逆どちら向きの回転力でも伝達できるが、出力軸からの回転力（逆入力）は入力軸へ伝達しないという特性を備える。このため、モータ１５の回転は転写ローラ１１に伝達されるが、転写ローラ１１からの回転はモータ１５側には伝達されない。本例では、前記伝導装置１１０として、ＮＴＮ株式会社製の「トルクダイオード（登録商標）」を使用した。
【００４４】
従って、本実施例によれば、図３に示すように、転写ローラ１１を感光体ベルト５１から離間している状態では、転写ローラ１１の周速度（矢印Ａ）は感光体ベルト５１の搬送速度（矢印Ｂ）より遅くなっている。
【００４５】
この状態で、図４に示すように、転写ローラ１１を感光体ベルト５１に押圧すると、転写ローラ１１から力５４が伝わり振動が発生する。しかし、この場合、感光体ベルト５１は、転写ローラ１１を連れ回るため、感光体ベルト５１の駆動ローラ５２と感光体ベルト５１の接触部との間の感光体ベルト５５は両側から押された状態となり、その部分にたるみが発生し、転写ローラ１１の接触部で発生した振動が感光体ベルト５１の駆動ローラ５２側及び書込装置１７の露光部分、及び現像部分（図中符号５６）に伝わり難いものとなる。
【００４６】
また、感光体ベルト５１の転写位置からみて搬送方向の下流側に感光体ベルトクリーニング装置４が配置されているから、転写位置からの振動は、この感光体ベルトクリーニング装置４に吸収され伝わり難いものとなる。
【００４７】
本例に係る画像転写装置について、感光体ベルト５１と転写ローラ１１との間に形成される転写位置に印刷用紙を突入させたときの駆動ローラ５２の軸の回転むらを測定した結果を図５に示す。図６に示した、伝導装置１１０を入れていない場合に比べて、駆動ローラ５２の回転むらが大幅に減少していることが分かる。
【００４８】
次に第１実施例の変形例について説明する。図７は上述した第１の実施例の変形例を示す平面図である。本例では、転写ローラ１１及び感光体ベルトクリーニング装置４のトナー回収ローラ４１又は転写クリーニング装置７のトナー回収ローラ７１は第２の駆動装置であるモータ１５で回転駆動される。
【００４９】
本例では、モータ１５はブラケット１５１に配置された減速装置を介して転写ローラ１１、トナー回収ローラ４１（７１）に接続されている。本例では、モータ１５の出力軸に配置されたピニオンギヤ１１１はギヤ１１２と噛合して回転軸１１３を回転駆動する。そしてこの回転軸１１３には、伝導装置１１０を介して出力軸１１４が接続されており、この出力軸１１４は等速ジョイント１３１、２つのギヤ１２１、１２２を介して転写ローラ１１を駆動する。
【００５０】
また、ピニオンギヤ１１１は、ギヤ１４１、１４２、等速ジョイント１３２に連結されており、トナー回収ローラ４１（７１）を回転駆動する。本例によれば、転写ローラ１１からの振動を伝導装置１１０で遮断しつつ一台のモータ１５で転写ローラ１１とトナー回収ローラ４１（７１）を駆動することができる。また、本例によれば、転写ローラ１１を逆転方向に回転させても、トナー回収ローラ４１（７１）が逆転するのを防止でき、感光体ベルトクリーニング装置４におけるトナーの逆送を防止することができる。
【００５１】
次に第１実施例の他の変形例について説明する。図８は第１の実施例の他の変形例を示す平面図である。本例では、前記第１の変形例で示した構成に加えて、トナー回収ローラ４１（７１）の駆動経路にワンウェイクラッチ１８０を付加している。本例によれば、トナー回収ローラ４１（７１）の逆転動を確実に防止することができる。
【００５２】
なお、上記例では、感光体ベルトクリーニング装置４のトナー回収ローラ４１と転写クリーニング装置７のトナー回収ローラ７１との一方をモータ１５で駆動するようにしたが両方のトナー回収ローラを同時に駆動するようにしてもよい。
【実施例２】
【００５３】
次に本発明に係る画像形成装置の第２の実施例について説明する。まず本例に係る画像形成装置の全体構成を説明する。図９は第２の実施例に係る画像形成装置の概略構造を示す断面図である。本例に係る画像形成装置は、前記第１の実施例に係る画像形成装置の感光体ベルトクリーニング装置４のクリーニングブレードに換え、感光体ベルトクリーニングローラ４３を、また、転写クリーニング装置７のクリーニングブレードに換え転写クリーニングローラ７３を配置したものである。
【００５４】
次に第２の実施例に係る画像転写装置について説明する。図１０は第２の実施例に係る画像形成装置の画像転写装置の概略構造を示す平面図である。本例では、モータ１５はブラケット１５１に配置された減速装置を介して転写ローラ１１に接続されている。また、モータ１５は、感光体ベルトクリーニング装置４のトナー回収ローラ４１及び感光体ベルトクリーニングローラ４３、又は、転写クリーニング装置７のトナー回収ローラ７１、及び、転写クリーニングローラ７３に接続されている。
【００５５】
本例では、モータ１５の出力軸に配置されたピニオンギヤ１１１、ギヤ１１２と噛合して回転軸１１３を回転駆動する。そしてこの回転軸１１３には、前記伝導装置１１０を介して出力軸１１４が接続されており、この出力軸１１４は等速ジョイント１３１、２つのギヤ１２１、１２２を介して転写ローラ１１を駆動する。
【００５６】
また、ピニオンギヤ１１１は、ギヤ１４１、１４２、等速ジョイント１３２に接合されトナー回収ローラ４１（７１）を回転駆動する。また、ギヤ１４２の軸には、更にギヤ１４３、１４４が配置され、モータ１５は感光体ベルトクリーニングローラ４３（転写クリーニングローラ７３）を回転駆動する。
【００５７】
本例によれば、転写ローラ１１からの振動を伝導装置１１０で遮断しつつ１台のモータ１５で転写ローラ１１、トナー回収ローラ４１（７１）及び感光体ベルトクリーニングローラ４３（７３）を駆動することができる。また、本例によれば、転写ローラ１１を逆転方向に回転させても、トナー回収ローラ４１（７１）及び感光体ベルトクリーニングローラ４３が逆転するのを防止でき、感光体ベルトクリーニング装置４におけるトナーの逆送を防止することができる。
【００５８】
本例では、モータ１５はブラケット１５１に配置された減速装置を介して転写ローラ１１及びトナー回収ローラ４１に接続されている。本例では、モータ１５の出力軸に配置されたピニオンギヤ１１１はギヤ１１２と噛合して回転軸１１３を回転駆動する。そしてこの回転軸１１３には、伝導装置１１０を介して出力軸１１４が接続されており、この出力軸１１４は等速ジョイント１３１、２つのギヤ１２１、１２２を介して転写ローラ１１を駆動する。
【００５９】
また、ピニオンギヤ１１１は、ギヤ１４１、１４２、等速ジョイント１３２を介してトナー回収ローラ４１を回転駆動する。本例によれば、転写ローラ１１からの振動を伝導装置１１０で遮断しつつ１台のモータ１５で転写ローラ１１とトナー回収ローラ４１とを駆動することができる。
【００６０】
次に第２実施例の変形例について説明する。図１１は第２実施例の変形例に係る画像転写装置の平面図である。本例では、前記第２実施例で示した構成に加えて、トナー回収ローラ４１（７１）の駆動経路にワンウェイクラッチ１８０を加えている。本例によれば、トナー回収ローラ４１（７１）の逆転動を確実に防止することができる。
【００６１】
なお、上記例では、感光体ベルトクリーニング装置４のトナー回収ローラ４１と転写クリーニング装置７のトナー回収ローラ７１との一方をモータ１５で駆動するようにしたが両方のトナー回収ローラを同時に駆動するようにしてもよい。
【００６２】
また、上記の例では、転写クリーニング装置７に転写クリーニングローラ７３を設けた例を示したが、図１２に示すように、転写クリーニング装置７にクリーニングブレード７２を設けた場合であっても同様に適用できる。また、転写クリーニング装置７に転写クリーニングローラ７３を設け、感光体ベルトクリーニング装置４にクリーニングブレード４２を設けるようにした場合も同様に適用できる。
【実施例３】
【００６３】
次に本発明の第３実施例に係る画像形成装置について説明する。図１３は本発明の第３の実施例に係る画像形成装置の概略構成を示す断面図である。本例に係る画像形成装置は、転写用紙搬送体として転写ローラ９０を備えるものとして構成している。本例では転写ローラ９０は、転写ベルト９１と、転写ローラ９２と、転向ローラ９３とを備えている。また、本例では、転写ローラ９２は、前記感光体ベルト５１に押圧されて配置されている。
【００６４】
次に本例に係る画像転写装置について説明する。図１４は本発明の第３実施例に係る画像形成装置の画像転写装置の概略構造を示す平面図である。本例では、転写ローラ９２は、第２の駆動装置であるモータ１５により回転駆動される。
【００６５】
本例では、モータ１５はブラケット１５１に配置された減速装置を介して転写ローラ９２に接続されている。本例では、モータ１５の出力軸に配置されたピニオンギヤ１１１はギヤ１１２と噛合してギヤ１６１を回転駆動する。そしてこのギヤ１６１には、ギヤ１６２が噛合しており、このギヤ１６２が駆動する出力軸１７１には前記伝導装置１１０が結合されている。本例では、伝導装置１１０は転写ローラ９２と同軸に配置され、伝導装置１１０の出力軸１７１は９２に連結されている。なお符号１１５は転写ローラ１１を支持する側板、１１６は画像形成装置本体外の側板を示している。本例に係る画像転写装置によれば、転写ローラ９２と伝導装置１１０とを同軸に配置しているので転写ローラ９２の振動を直接的に遮断することができる。なお、この例では伝導装置１１０と転写ローラ９２とを同軸に配置したが、上記の各例においても、転写ローラ１１を伝導装置１１０と同軸に配置するようギヤなどの配列を変更することができる。
【実施例４】
【００６６】
次に本発明に係る画像形成装置の第４の実施例を説明する。図１５は、本発明の第４の実施例に係る画像形成装置の概略構成を示す断面図である。本例に係る画像形成装置は、複写装置として構成されている。このため、本例に係る画像形成装置は、感光体ユニット５と、書込装置１７と、現像装置１０と、帯電器８と、定着装置１３とを備える他、原稿の読取ユニット１６を備えている。本例に係る画像形成装置では上述した各実施例に係る画像転写装置を採用することができる。なお本発明に係る画像形成装置は、上記実施例１で示した電子写真式のプリンタ、本実施例で示した複写装置の他ファクシミリ装置などに適用することができる。
【図面の簡単な説明】
【００６７】
【図１】第１の実施例に係る画像形成装置の概略構造を示す断面図である。
【図２】第１の実施例に係る画像形成装置の画像転写装置の構成を示す平面図である。
【図３】第１の実施例に係る画像転写装置の動作を示す正面図である。
【図４】第１の実施例に係る画像転写装置の動作を示す正面図である。
【図５】第１の実施例に係る画像転写装置の感光体ベルトの駆動ローラの振動の状態を示すグラフ対比例である。
【図６】第１の実施例に係る画像転写装置の感光体ベルトの駆動ローラの振動の状態を示すグラフ本願である。
【図７】第１の実施例の変形例に係る画像形成装置の概略構成を示す断面図である。
【図８】第１の実施例の他の変形例に係る画像形成装置の画像転写装置の構成を示す平面図である。
【図９】第２の実施例に係る画像形成装置の画像転写装置の概略構成を示す断面図である。
【図１０】第２の実施例に係る画像形成装置の画像転写装置の概略構造を示す平面図である。
【図１１】第２実施例の変形例に係る画像転写装置の概略構成を示す平面図である。
【図１２】第２の実施例に係る画像形成装置の変形例の概略構成を示す断面図である。
【図１３】第３の実施例に係る画像形成装置の概略構成を示す断面図である。
【図１４】第３の実施例に係る画像形成装置の画像転写装置の概略構成を示す平面図である。
【図１５】第４の実施例に係る画像形成装置の概略構成を示す断面図である。
【符号の説明】
【００６８】
４・・・感光体ベルトクリーニング装置
５・・・感光体ユニット
７・・・転写クリーニング装置
８・・・帯電器
９・・・印刷用紙
１０・・・現像装置
１１・・・転写ローラ
１２・・・レジストローラ
１３・・・定着装置
１４・・・紙搬送部
１５・・・モータ
１６・・・読取ユニット
１７・・・書込装置
４１・・・トナー回収ローラ
４２・・・クリーニングブレード
４３・・・感光体ベルトクリーニングローラ
５１・・・感光体ベルト
５２・・・駆動ローラ
５５・・・感光体ベルト
７１・・・トナー回収ローラ
７２・・・クリーニングブレード
７３・・・転写クリーニングローラ
９０・・・転写ローラ
９１・・・転写ベルト
９２・・・転写ローラ
９３・・・転向ローラ
１１０・・・伝導装置
１１１・・・ピニオンギヤ
１１２・・・ギヤ
１１３・・・回転軸
１１４・・・出力軸
１１５，１１６・・・側板
１２１、１２２・・・ギヤ
１３１・・・等速ジョイント
１３２・・・等速ジョイント
１４１、１４２・・・ギヤ
１４３、１４４・・・ギヤ
１５１・・・ブラケット
１６１・・・ギヤ
１６２・・・ギヤ
１７１・・・出力軸
１８０・・・ワンウェイクラッチ
【図１】
2008015127.tif 000003
【図２】
2008015127.tif 000004
【図３】
2008015127.tif 000005
【図４】
2008015127.tif 000006
【図５】
2008015127.tif 000007
【図６】
2008015127.tif 000008
【図７】
2008015127.tif 000009
【図８】
2008015127.tif 000010
【図９】
2008015127.tif 000011
【図１０】
2008015127.tif 000012
【図１１】
2008015127.tif 000013
【図１２】
2008015127.tif 000014
【図１３】
2008015127.tif 000015
【図１４】
2008015127.tif 000016
【図１５】
2008015127.tif 000017